(57)【要約】【課題】外観を損なうことなく天板の張り出し部を補強部材によって補強することができるキッチンカウンタを提供する。【解決手段】本発明のキッチンカウンタ１０は、キャビネット部１３と、キャビネット部１３の上部に設けられ、かつキャビネット部１３から張り出す張り出し部２２を有する天板１４と、天板１４とは線膨張係数の異なる材質で形成され、天板１４におけるキャビネット部１３の上方領域Ｒ１と張り出し部２２の領域Ｒ２とに亘って天板１４の裏面に設けられた補強部材２１とを備えており、補強部材２１の長さ方向の一部が天板１４に固定されている。【選択図】  図２
2011083324.tif 000002
【特許請求の範囲】
【請求項１】
キャビネット部と、
前記キャビネット部の上部に設けられ、かつ前記キャビネット部から張り出す張り出し部を有する天板と、
前記天板とは線膨張係数の異なる材質で形成され、前記天板における前記キャビネット部の上方領域と前記張り出し部の領域とに亘って前記天板の裏面に設けられた補強部材と、を備えており、
前記補強部材が、その長さ方向の一部において前記天板に固定されていることを特徴とするキッチンカウンタ。
【請求項２】
前記補強部材が、前記天板における前記キャビネット部の上方領域内で前記天板に固定されている請求項１に記載のキッチンカウンタ。
【請求項３】
前記補強部材が、前記張り出し部とは反対側の端部において前記天板に固定されている請求項２に記載のキッチンカウンタ。
【請求項４】
前記天板が人工大理石であり、前記補強部材が金属製である請求項１〜３のいずれかに記載のキッチンカウンタ。
【請求項５】
前記補強部材がパイプ材である請求項１〜４のいずれかに記載のキッチンカウンタ。
【請求項６】
前記補強部材の両側部に間隔をあけて裏貼材が設けられ、前記補強部材と前記裏貼材との間に、前記補強部材を前記天板の裏面に固定するための接着剤が充填されている請求項１〜５のいずれかに記載のキッチンカウンタ。
【発明の詳細な説明】
【技術分野】
【０００１】
本発明は、キッチンカウンタ、例えばキッチンとリビングとの間に設置される対面式等のキッチンカウンタに関する。
【背景技術】
【０００２】
キャビネット（収納部）の上部に設けられた天板にシンクやコンロを備えたキッチンカウンタが広く利用されている。特に、近年においては、キッチンとリビングルームとの双方からアクセスすることが可能であり、キッチンで作った料理等を直接リビングルーム側へ供給することができる対面式のものが普及している。
また、この種の対面式のキッチンカウンタには、リビングルーム側からのアクセスや使い勝手をより良くするために、天板をリビングルーム側へ水平に張り出したものがある（例えば、特許文献１参照）。
【先行技術文献】
【特許文献】
【０００３】
【特許文献１】特開２００５−１３７５９１号公報
【発明の概要】
【発明が解決しようとする課題】
【０００４】
特許文献１に記載されたキッチンカウンタは、例えば図１０に示すように、天板１００の張り出し部１０１を支持するために、張り出し部１０１の裏面とキャビネット部１０５の背面パネル１０２との間にＬ字形状の補強部材１０３が取り付けられている。さらにこの補強部材１０３が外部に露出するのを防止するために、当該補強部材１０３を覆い隠すカバー部材１０４がキッチンカウンタの幅全体に亘って設けられている。
しかし、特許文献１のキッチンカウンタは、補強部材１０３そのものは外部に露出しないものの、比較的大型のカバー部材１０４が外部に露出してしまうため、さほど外観が向上するとは言い難い。
【０００５】
したがって、本発明は、天板の張り出し部を補強する補強部材やそのカバー部材によって外観が悪化してしまうのを防止するキッチンカウンタを提供することを目的とする。
【課題を解決するための手段】
【０００６】
（１）本発明のキッチンカウンタは、キャビネット部と、前記キャビネット部の上部に設けられ、かつ前記キャビネット部から張り出す張り出し部を有する天板と、前記天板とは線膨張係数の異なる材質で形成され、前記天板における前記キャビネット部の上方領域と前記張り出し部の領域とに亘って前記天板の裏面に設けられた補強部材と、を備えており、前記補強部材が、その長さ方向の一部において前記天板に固定されていることを特徴とする。
【０００７】
この構成によれば、天板の裏面には、キャビネット部の上方領域と張り出し部の領域との広い領域に亘って補強部材が設けられているので、従来技術（特許文献１参照）のようにＬ字型の補強部材を使用する必要が無く、天板の裏面から補強部材が大きく突出することもない。したがって、当該補強部材が外部に露出しないようにカバー部材を設けたとしてもこのカバー部材が大きく露出することはなく、外観を悪化させることもほとんどない。
【０００８】
また、補強部材の長さ方向の全体を天板の裏面に固定したとすれば、天板と補強部材との線膨張係数の違いによって、温度変化に伴う反りが天板に生じることがあるが、本発明では、補強部材がその長さ方向の一部において天板に固定されているので、このような天板の反りを抑制することができる。
【０００９】
（２）前記補強部材は、前記天板における前記キャビネット部の上方領域内で前記天板に固定されていることが好ましい。
天板がキャビネット部から張り出す張り出し部を備えているキッチンカウンタにおいては、特にキャビネット部によって支持されていない張り出し部において天板が反りやすくなる。したがって、天板におけるキャビネット部の上方領域内で補強部材を固定することによって張り出し部における反りの発生を確実に抑制することができる。
【００１０】
（３）また、前記補強部材は、前記張り出し部とは反対側の端部において前記天板に固定されていることがより好ましい。この構成によって張り出し部における反りの発生をより確実に抑制することができる。
【００１１】
（４）前記天板は人工大理石であってもよく、前記補強部材は金属製であってもよい。本発明は、線膨張係数の差が大きい人工大理石の天板と金属製の補強部材とを組み合わせた場合に非常に有効である。特に、人工大理石からなる天板の反りを適切に抑制することで、人工大理石が有する高級感やインテリア性を損なうことはほとんどない。
【００１２】
（５）前記補強部材はパイプ材であることが好ましい。上述のように、補強部材の長さ方向の一部において天板に固定すると、補強部材の長さ全体を天板に固定した場合に比べて支持強度が低下するが、この補強部材をパイプ材とすることによって補強部材の重量増を抑制しつつ曲げ剛性を高め、天板の支持強度を確保することができる。
【００１３】
（６）前記補強部材の両側部に間隔をあけて裏貼材が設けられ、前記補強部材と前記裏貼材との間に、前記補強部材を前記天板の裏面に固定するための接着剤が充填されていることが好ましい。このように構成することで、補強部材の両側部に接着剤の充填スペースを区画形成することができ、この充填スペースに接着剤を充填することによって補強部材を天板の裏面に容易に接着することができる。
【発明の効果】
【００１４】
本発明のキッチンカウンタによれば、外観を損なうことなく天板の張り出し部を補強部材によって補強することができる。
【図面の簡単な説明】
【００１５】
【図１】本発明の実施形態に係るキッチンカウンタの斜視図である。
【図２】同キッチンカウンタの側面図である。
【図３】図１のＡ部で示す部分の天板の底面図である。
【図４】図３のIV−IV断面図である。
【図５】図３のＶ−Ｖ断面図である。
【図６】キッチンカウンタの分解斜視図である。
【図７】キッチンカウンタの背面図である。
【図８】背面パネルの裏面（接着面）を示す正面図である。
【図９】補強部材の他の実施形態を示す断面図である。
【図１０】従来技術に係るキッチンカウンタの側面図である。
【発明を実施するための形態】
【００１６】
以下、図面を参照して本発明の実施形態を説明する。
図１は本発明の実施形態に係るキッチンカウンタの斜視図、図２はキッチンカウンタの側面図である。キッチンカウンタ１０は、内部に収納空間が形成され、前面に収納空間を開閉する扉１１等が設けられたキャビネット部１３と、このキャビネット部１３の上部に設けられた天板１４と、この天板１４に設けられたシンク１５と、同じく天板１４に設けられたガスコンロやＩＨヒーター等の加熱調理器１６とを備えている。
【００１７】
天板１４の左右方向両側には、開口１８、１９が形成され、一方（右側）の開口１８には加熱調理器１６が装入され、他方（左側）の開口１９には、シンク１５が装入されている。この加熱調理器１６とシンク１５とは、室内におけるキッチンカウンタ１０の配置等に応じて左右の配置が適宜変更される。
【００１８】
本実施形態の天板１４は、アクリル系やポリエステル系等の樹脂材料に無機充填剤や硬化剤等を配合して硬化させた樹脂含有成形体からなる人工大理石が使用されている。また、天板１４は、平面視で長方形状に形成されており、キャビネット部１３の左右方向の幅に亘る左右方向幅と、キャビネット部１３の前後方向の幅を超えてさらに後側（図１において使用者が立つ側を前側とした場合の後側）に張り出す前後方向幅とを有している。
【００１９】
天板１４の裏面側には、当該天板１４を補強するための補強部材２１が設けられている。この補強部材２１は、パイプ材やフラットバー等の金属製の長尺材から構成され、左右方向に間隔をあけて複数本（図示例では３本）設けられている。各補強部材２１は、天板１４におけるキャビネット部１３の上方領域Ｒ１と、キャビネット部１３から後側へ張り出す張り出し部２２の領域Ｒ２とに亘る範囲で前後方向に沿って配置されている。なお、本実施形態では、曲げ剛性の向上と軽量化とを図るために補強部材２１としてパイプ材（角パイプ）が用いられている。
【００２０】
図３は、図１のＡ部で示す部分の天板１４の底面図である。天板１４の裏面側には、補強部材２１の他に裏貼材２３Ａ，２３Ｂが設けられ、この裏貼材２３Ａ，２３Ｂは天板１４を補強する機能を有する。この裏貼材２３Ａ，２３Ｂは、合板等の木材や合成樹脂材により形成された断面矩形状の帯板材又はブロック材等からなり、補強部材２１の配置箇所と開口１８，１９とを除く範囲で略口型又は略目型に枠組みされている。また、裏貼材２３Ａ，２３Ｂは、キャビネット部１３の上方領域Ｒ１と張り出し部２２の領域Ｒ２との各領域に区画されて個別に設けられている。
【００２１】
図４は、図３のIV−IV断面図であり、図５は、図３のＶ−Ｖ断面図である。
図３及び図４に示すように、キャビネット部１３の上方領域Ｒ１において、補強部材２１の左右両側には間隔をあけて裏貼材２３Ａが設けられており、この間隔には接着剤２４が充填され、この接着剤２４によって天板１４に補強部材２１が接着されている。この接着剤２４としては、ウレタン系やシリコーン系の接着剤が使用されている。
【００２２】
図３に示すように、接着剤２４の充填範囲は、張り出し部２２とは反対側の補強部材２１の端部側（前端部側）であって、補強部材２１の長さＬ１の略１／３の範囲Ｌ２とされている。接着剤２４が充填される範囲Ｌ２の張り出し部２２側の端部には堰き止め部材２６が設けられている。
【００２３】
図３及び図５に示すように、張り出し部２２の領域Ｒ２において、補強部材２１の左右一方側には裏貼材２３Ｂが当接するように配置され、左右他方側には間隔をあけて裏貼材２３Ｂが設けられている。この左右一方側の裏貼材２３Ｂに補強部材２１を当接させることにより、当該補強部材２１の位置決めを容易に行うことができる。
また、張り出し部２２の領域Ｒ２において、補強部材２１及び裏貼材２３Ｂの下面には化粧パネルからなるカバー部材２７が設けられており、このカバー部材２７によって補強部材２１及び裏貼材２３Ｂが外部に露出しないように覆われている。
【００２４】
以上の構成において、本実施形態の天板１４には、特に張り出し部２２の補強のために、キャビネット部１３の上方領域Ｒ１と張り出し部２２の領域Ｒ２とに亘って配置された長尺の補強部材２１が設けられているので、従来のようにＬ字型の補強部材１０３（図１０参照）を使用しなくても、好適に天板１４を補強することができ、この補強部材２１が天板１４の下面から大きく突出することもない。そのため、補強部材２１を覆うカバー部材２７によって外観を損なうこともない。
【００２５】
また、天板１４は人工大理石であるのに対して、補強部材２１は金属製であり、両者の線膨張係数（熱膨張率）が異なっている。そのため、温度変化による膨張・収縮量が互いに異なり、補強部材２１と天板１４との接着部において、温度変化に伴うバイメタル現象により天板１４に反りが生じる可能性がある。しかしながら、本実施形態では、天板１４と補強部材２１とは、当該補強部材２１の長さの一部、具体的には略１／３の範囲Ｌ２のみで接着されているので、温度変化による天板１４の反りの発生を可及的に抑制することができる。
【００２６】
特に、補強部材２１は、張り出し部２２の領域Ｒ２においては天板１４に接着されておらず、キャビネット部１３の上方領域Ｒ１において天板１４に接着されているので、張り出し部２２における反りの発生を確実に抑制することができ、さらに、補強部材２１は、張り出し部２２から最も離れた端部において天板１４に接着されているので、張り出し部２２における反りの発生をより確実に抑制することができる。
【００２７】
また、補強部材２１は、裏貼材２３Ａとの間に形成された隙間に接着剤２４を充填することによって天板１４の裏面に接着されている。したがって、裏貼材２３Ａによって接着剤２４の充填スペースを区画形成することができ、この充填スペースに接着剤を充填することによって補強部材を天板の裏面に接着することができるので、当該接着作業を容易に行うことができる。
【００２８】
図６は、キッチンカウンタの分解斜視図、図７は、キッチンカウンタ１０の背面図、図８は、背面パネル３１の裏面（接着面）を示す正面図である。
キッチンカウンタ１０のキャビネット部１３は、収容空間を形成する本体部２９と、本体部２９の側面を覆う側面パネル３０と、背面を覆う複数枚の背面パネル３１と、この背面パネル３１の下地材３２とを備えている。また、図２に示すように、本体部２９の前面には例えば木質調の表面を有する扉１１が設けられ、背面パネル３１の表面も扉表面と同意匠とされている。
【００２９】
図８に示すように、背面パネル３１の裏面には、格子状に両面テープ３５が貼付されるとともに、その外側及び内側にシリコーン系の接着剤３４が塗布され、これらシリコーン系の接着剤３４と両面テープ３５とによって背面パネル３１が下地材３２に接着されている。また、図７に示すように、各背面パネル３１の隙間には、エッジ材３６が設けられている。
【００３０】
従来、背面パネル３１は、扉１１と同意匠にするために、扉１１と同一の材料を用いて構成されており、そのため肉厚が厚く（１５〜２０ｍｍ程度）、重量も大きくなり、運搬やカット作業等の取り扱いが煩雑であった。また、下地材３２に対する取り付けも、接着剤や両面テープだけでなくネジによる固定が必要であった。また、扉１１と比べてサイズも大きいことから非常に高価であった。
【００３１】
これに対して本実施形態では、背面パネル３１として薄肉（例えば厚さ３ｍｍ程度）の化粧面材を使用しており、低コストで大型化が可能であり、背面パネル３１間の隙間を可及的に小さくして、外観を向上することができるという利点がある。また、下地材３２に対する接着もネジ等を使わずに接着剤３４や両面テープ３５で行うことができるので、この点においてもコストを下げることが可能となっている。
【００３２】
図９は、補強部材の他の実施形態を示す断面図である。上記実施形態では、補強部材２１としてパイプ材を用いていたが、これに限らず図９に例示するような形鋼材（軽量形鋼を含む）を用いることができる。図９（ａ）は、補強部材２１として溝形鋼を使用したもの、図９（ｂ）は、同じくＨ形鋼を使用したもの、図９（ｃ）は、同じくリップ溝形鋼を使用したものである。これらの例においてもパイプ材を用いた場合と同様に、補強部材２１の曲げ剛性の向上と軽量化とを図ることができ、天板の支持強度を十分に確保することができる。図９に示すもの以外に山形鋼、Ｉ形鋼、ハット形鋼等の他の形鋼を補強部材２１として使用することもできる。
【００３３】
本発明は、上記実施形態に限定されることなく適宜設計変更可能である。
例えば、上記実施形態では、補強部材２１は、張り出し部２２とは反対側の前端部において天板１４に接着されているが、長さ方向の中途部や、後端部（張り出し部２２の領域Ｒ２内）において接着されていてもよい。また、上記実施形態では、補強部材２１の接着長さを全体長さの略１／３としていたが、天板１４の支持強度（補強強度）が確保できる限りにおいて、これよりも長く又は短くすることが可能である。また、天板１４に対する補強部材２１の固定は、接着剤２４に限らずネジ止め等の他の手段であってもよい。
【符号の説明】
【００３４】
１０：  キッチンカウンタ
１３：  キャビネット部
１４：  天板
２１：  補強部材
２２：  張り出し部
２３：  裏貼材
２４：  接着剤
２７：  カバー部材
【図１】
2011083324.tif 000003
【図２】
2011083324.tif 000004
【図３】
2011083324.tif 000005
【図４】
2011083324.tif 000006
【図５】
2011083324.tif 000007
【図６】
2011083324.tif 000008
【図７】
2011083324.tif 000009
【図８】
2011083324.tif 000010
【図９】
2011083324.tif 000011
【図１０】
2011083324.tif 000012